(57)【要約】【課題】  床下地材を支持脚に安定して設置できるとともに、支持脚に設置した床下地材に作業者が乗って作業できる強度を備えた床構造およびその構築工法を提供することである。【解決手段】  床構造１は、スラブ４の上面に適宜間隔ごとに支持脚３が設置され、該支持脚３の載置プレート１２に発泡樹脂製の床下地材２が載置され、該床下地材２の上面に設置された上部プレート２０が下面から伸びた連結用ロッド２２で載置プレート１２に接続され、該載置プレート１２と上部プレート２０とで床下地材２が挟み付けられて固定されたことである。【選択図】  図１
2009287239.tif 000002
【特許請求の範囲】
【請求項１】
スラブの上面に適宜間隔ごとに支持脚が設置され、該支持脚の載置プレートに発泡樹脂製の床下地材が載置され、該床下地材の上面に設置された上部プレートが下面から伸びた連結用ロッドで載置プレートに接続され、該載置プレートと上部プレートとで床下地材が挟み付けられて固定されたことを特徴とする床構造。
【請求項２】
載置プレートは支持脚の柱脚に上下動自在に設置されたことを特徴とする請求項１に記載の床構造。
【請求項３】
載置プレートは床下地材下面の設置用凹溝に、上部プレートが床下地材上面の設置用凹溝にそれぞれ嵌め込まれたことを特徴とする請求項１または２に記載の床構造。
【請求項４】
スラブの上面に適宜間隔ごとに支持脚を設置し、該支持脚に上下動自在にねじ込まれた載置プレートに発泡樹脂製の床下地材を複数密接状に載置して下床を形成し、これらの床下地材の上面から下面にかけて開口した貫通孔に操作用ロッドを挿入し、該操作用ロッドで載置プレートを回転させて上下動による不陸調整をした後、上部プレートの下面から伸びた連結用ロッドを貫通孔から挿入して載置プレートに接続し、該載置プレートと上部プレートとで床下地材を挟み付けて固定した後、この床下地材からなる下床の上面に仕上材を敷設することを特徴とする床構造の構築工法。
【請求項５】
載置プレートは床下地材下面の設置用凹溝に、上部プレートが床下地材上面の設置用凹溝にそれぞれ嵌め込まれることを特徴とする請求項４に記載の床構造の構築工法。
【発明の詳細な説明】
【技術分野】
【０００１】
本願発明は共同住宅などにおける二重床の床構造および、床構造の構築工法に関するものである。
【背景技術】
【０００２】
従来、共同住宅などにおける二重床の床構造としては、図９に示すものが知られている。この床構造２８は、スラブ２９の上面に不陸調整材であるモルタル団子３０を介して発泡樹脂製の床下地材３１が設置され、該床下地材３１の上面に仕上材３２が敷設されて構成されている。しかし、この床構造２８はモルタル団子３０を使用した湿式工法であるため、作業箇所が汚れたり、モルタル団子３０の硬化に所定の時間が必要であるという問題があったため、これに代わる乾式工法として、特開２００６−２６５９４８号の発明がされている。この発明はスラブの上面に支持脚によって床下地材が設置され、この床下地材の上に仕上材が敷設されて構成されている。
【特許文献１】特開２００６−２６５９４８号公報
【発明の開示】
【発明が解決しようとする課題】
【０００３】
しかし、上記の床下地材は支持脚で設置されていたため、該支持脚に設置した床下地材の上に作業者が乗って作業するには安定性が悪く、強度も足りないという問題があった。
【０００４】
本願発明はこれらの問題に鑑みてなされたものであり、その目的は、床下地材を支持脚に安定して設置できるとともに、支持脚に設置した床下地材に作業者が乗って作業できる強度を備えた床構造およびその構築工法を提供することである。
【課題を解決するための手段】
【０００５】
以上の課題を解決するための床構造は、スラブの上面に適宜間隔ごとに支持脚が設置され、該支持脚の載置プレートに発泡樹脂製の床下地材が載置され、該床下地材の上面に設置された上部プレートが下面から伸びた連結用ロッドで載置プレートに接続され、該載置プレートと上部プレートとで床下地材が挟み付けられて固定されたことを特徴とする。また載置プレートは支持脚の柱脚に上下動自在に設置されたことを含む。また載置プレートは床下地材下面の設置用凹溝に、上部プレートが床下地材上面の設置用凹溝にそれぞれ嵌め込まれたことを含むものである。
また床構造の構築工法は、スラブの上面に適宜間隔ごとに支持脚を設置し、該支持脚に上下動自在にねじ込まれた載置プレートに発泡樹脂製の床下地材を複数密接状に載置して下床を形成し、これらの床下地材の上面から下面にかけて開口した貫通孔に操作用ロッドを挿入し、該操作用ロッドで載置プレートを回転させて上下動による不陸調整をした後、上部プレートの下面から伸びた連結用ロッドを貫通孔から挿入して載置プレートに接続し、該載置プレートと上部プレートとで床下地材を挟み付けて固定した後、この床下地材からなる下床の上面に仕上材を敷設することを特徴とする。また載置プレートは床下地材下面の設置用凹溝に、上部プレートが床下地材上面の設置用凹溝にそれぞれ嵌め込まれることを含むものである。
【発明の効果】
【０００６】
床下地材が支持脚の載置プレートおよび上部プレートによって上下から挟み付けられて固定されているため安定かつ必要な強度を備えた床構造を提供することができる。また載置プレートと上部プレートとが床下地材の上下面の設置用凹溝に嵌合されているため、床下地材をより強固に固定することができる。また床下地材の上面から載置プレートの回転による上下動によって不陸調整ができるため、床下地材からなる下床の水平レベルの調整が簡単にでき、しかも水平精度を高めることができる。また支持脚の載置プレートおよび上部プレートで床下地材が挟み付けられて固定されているため、作業者が床下地材に乗って作業するための強度と安定性とを確保することができる。
【発明を実施するための最良の形態】
【０００７】
以下、本願発明の床構造および床構造の構築工法の実施の形態を図面に基づいて説明する。はじめに床構造について説明し、次に、この床構造の構築工法の実施の形態について説明するが、各実施の形態において同じ構成は同じ符号を付して説明し、異なった構成にのみ異なった符号を付して説明する。
【０００８】
図１〜図３は第１の実施の形態の床構造１である。この床構造１は、図１に示すように、共同住宅における二重床であり、ポリエチレン系樹脂、ポリオレフィン系樹脂、ウレタン樹脂などの熱可塑性発泡樹脂によって平面長方形に形成された床下地材２が支持脚３でスラブ４の上面に密接状に設置されて下床５を形成し、この下床５上に仕上材６が敷設されて構成されている。
【０００９】
この床下地材２の短辺と長辺とからなる二辺には、他の床下地材２の重ね部７を設置する受け部８が形成されるとともに、一方の二辺には、他の床下地材の受け部８に設置する重ね部７が形成され、この重ね部７が隣接した床下地材２の受け部８に設置されて床下地材２同士が接合されている。また床下地材２の上面には硬質合成樹脂製の桟木９が短辺方向に沿って三本（必要に応じて任意の数）埋設されている。
【００１０】
一方、上記の床下地材２を支持する支持脚３は、図２および図３に示すように、柱脚１０の下端部に設置されてスラブの上面に固定される平面円形の固定プレート１１と、柱脚１０の上端部に設置されて床下地材２を載置する平面円形の載置プレート１２とから構成され、該載置プレート１２の補強リブ１３における雌ネジ部１４に柱脚の雄ネジ部１５がねじ込まれて載置プレート１２が上下動自在になっており、雌ネジ部１４の上部には六角穴付ナット１６が形成されている。
【００１１】
このため六角穴付ナット１６に操作用ロッドである六角レンチ１７を嵌め込んで回転させることにより、載置プレート１２が柱脚１０を上下動して不陸調整、すなわち床下地材２のレベル調整ができるようになっている。
【００１２】
また床下地材２の上下面における設置用凹溝１８、１９には上部プレート２０と載置プレート１２が嵌め込まれ、これらの設置用凹溝１８、１９間にわたって開口された貫通孔２１に上部プレート２０の連結用ロッド２２が挿入され、この連結用ロッド２２の雄ネジ部１４が載置プレート１２の雌ネジ部１４にねじ込まれている。
【００１３】
したがって、この上部プレート２０と載置プレート１２とは連結用ロッド２２によって接続されて床下地材２を上下から挟み付けることにより安定して、作業者が床下地材２の上面に乗ることのできる強度を有することになる。なお床下地材２は４つの支持脚３で支持されているが、これは４つに限らず、それ以上またはそれ以下の支持脚３で支持することもできる。
【００１４】
図４は第２の実施の形態の床構造２３である。この床構造２３は下床５上に制震面材２４を介して仕上材６を敷設した二重床であり、この制震面材２４を敷設した以外は第１の実施の形態の床構造１と同じ構成である。この制震面材２４は軽量床衝撃音遮断性能を高めるものであり、面密度が９ｋｇ／ｍ２以上のアスファルトシートやゴムシートなどの他、振動を吸収する吸収材が使用される。
【００１５】
次に、床構造の構築工法を第１の実施の形態の床構造１に基づいて説明する。はじめに、図５に示すように、スラブ４の上面に支持脚３を適宜間隔をもって設置する。この支持脚３はスラブ上面に単に設置するか、あるいは固定プレート１１に接着剤を塗布してスラブ上面に固定する。また支持脚３の載置プレート１２は回転することによって柱脚１０を上下動できるようになっている。
【００１６】
次に、図６に示すように、上記の支持脚３の上に床下地材２を設置する。この床下地材２の上下面には平面円形の設置用凹溝１８、１９が形成され、この下面における設置用凹溝１９に載置プレート１２を嵌め込んで床下地材２を設置すると、該床下地材２の設置用凹溝１８、１９間の貫通孔２１が載置プレート１２の六角穴付ナット１６と合致する。このため六角穴付ナット１６に床下地材の上面から操作用ロッドを差し込んで載置プレートを回転させることができる。
【００１７】
次に、図７に示すように、床下地材２の上面における設置用凹溝１８の貫通孔２１から六角レンチ１７を挿入して、その先端を載置プレートの六角穴付ナット１６に差し込む。そして、この載置プレート１２を六角レンチ１７で回転させて上下動させることにより、スラブ４の不陸調整をして床下地材２の水平レベルを調整する。
【００１８】
これは際根太の上面２５を基準面とし、この上面２５と床下地材の上面２６とを一致させるようにして行うものである。このレベル調整の終了後、載置プレートの六角穴付ナット１６から雌ネジ部１４に接着剤を充填して載置プレート１２を固定する。このような作業を繰り返して床下地材２をスラブ４の上面に設置することにより水平のレベル調整がされた下床５が形成される。
【００１９】
次に、図８に示すように、床下地材の上面２６から貫通孔２１に上部プレート２０の連結用ロッド２２を挿入し、この先端を載置プレートの雌ネジ部１４にねじ込んで、上部プレート２０を上面の設置用凹溝１８に嵌め合わせると、これらの上部プレート２０と載置プレート１２で床下地材２が挟み付けられる。
【００２０】
このように上部プレート２０と載置プレート１２とで床下地材２が挟み付けられているために下床５として安定し、作業者が乗って作業できる強度を有することになる。
【００２１】
次に、この下床５上に仕上材６を敷設すると、図１に示すような床構造１が構築される。したがって、従来のモルタル団子を使用した湿式工法よりも簡単かつ迅速に床構造１が構築できる。なお、第２の実施の形態の床構造２３も上記と同じ方法で構築するものとする。
【図面の簡単な説明】
【００２２】
【図１】第１の実施の形態の床構造であり、（１）は断面図、（２）は平面図である。
【図２】（１）は床下地材が設置された支持脚の斜視図、（２）は床下地材が固定された支持脚の斜視図である。
【図３】（１）は上部プレートを接続した支持脚の斜視図、（２）は上部プレートを取り外した支持脚の斜視図、（３）は支持脚の平面図である。
【図４】第２の実施の形態の床構造であり、（１）は断面図、（２）は平面図である。
【図５】支持脚を設置したスラブの断面図、（２）は同平面図である。
【図６】（１）は支持脚に床下地材を設置した断面図、（２）は同平面図である。
【図７】（１）は床下地材の上面から支持脚の載置プレートを回転させる断面図、（２）は同平面図である。
【図８】（１）は支持脚に設置した床下地材の上面から上部プレートを載置プレートに接続する断面図、（２）は床下地材を上部プレートと載置プレートで挟み付けた断面図である。
【図９】従来の二重床の断面図である。
【符号の説明】
【００２３】
１、２３、２８  床構造
２、３１  床下地材
３  支持脚
４、２９  スラブ
５  下床
６、３２  仕上材
７  重ね部
８  受け部
９  桟木
１０  柱脚
１１  固定プレート
１２  載置プレート
１３  補強リブ
１４  雌ネジ部
１５  雄ネジ部
１６  六角穴付ナット
１７  六角レンチ
１８、１９  設置用凹溝
２０  上部プレート
２１  貫通孔
２２  連結用ロッド
２４  制震面材
２５  際根太の上面
２６  床下地材の上面
３０  モルタル団子 
【図１】
2009287239.tif 000003
【図２】
2009287239.tif 000004
【図３】
2009287239.tif 000005
【図４】
2009287239.tif 000006
【図５】
2009287239.tif 000007
【図６】
2009287239.tif 000008
【図７】
2009287239.tif 000009
【図８】
2009287239.tif 000010
【図９】
2009287239.tif 000011